(57)【特許請求の範囲】
【請求項１】
音声データを再生する音声再生部を備えた電子機器であって、
初回の再生がなされた音声データを聞き直し対象の音声データとして、初回再生後の所定の期間の間、再生可能に管理する聞き直し手段を備え、
前記聞き直し手段は、少なくとも、聞き直し対象の音声データに設定されている、当該音声データの再生音声を出力する期限を示す再生期限が、聞き直し可能な前記所定の期間の間に到達する場合に、前記所定の期間を経た後に前記再生期限が到達するように当該再生期限を延長することを特徴とする電子機器。
【請求項２】
前記聞き直し手段は、聞き直し対象の音声データの管理を開始すると、当該音声データに設定されている前記再生期限を、聞き直し可能な前記所定の期間の時間以上延長することを特徴とする請求項１に記載の電子機器。
【請求項３】
前記聞き直し手段は、聞き直し対象の音声データに設定されている前記再生期限が聞き直し可能な前記所定の期間の間に到達するかどうかを判断し、到達する場合に、前記所定の期間を経た後に前記再生期限が到達するように当該再生期限を延長することを特徴とする請求項１に記載の電子機器。
【請求項４】
前記聞き直し手段は、聞き直し可能な前記所定の期間として設定可能な最長時間以上の時間分、前記再生期限を延長することを特徴とする請求項１から３の何れか１項に記載の電子機器。
【請求項５】
前記音声データを、通信ネットワークを介して取得することを特徴とする請求項１から４の何れか１項に電子機器。
【発明の詳細な説明】
【技術分野】
【０００１】
本発明は、音声を再生する音声再生部を備えた電子機器および音声出力システムに関する。
【背景技術】
【０００２】
家電（家庭用電子機器）にて何らかのアクションが発生すると、そのアクションに応じて家電に内蔵された音声を出力（再生、発話）するものが存在する。上記アクションとしては、例えば、家電のドアの開閉や、家電のボタンの押圧、家電の稼働状態の変化などがある。
【０００３】
また、このような音声を出力する家電においては、ネットワークを介してサーバと接続されており、サーバから受信した音声を出力するものも開発されている。例えば、特許文献１には、センターサーバから受信した音声信号や楽曲信号を、冷蔵庫本体の稼働状況あるいは環境状況などに応じて選択して出力する冷蔵庫が開示されている。
【０００４】
また、特許文献２には、家電機器とは別体にアダプタが設けられ、このアダプタがプロパティに対応する音声データをアプリケーションサーバから受信して記憶し、この音声データを家電機器の音声発生部から出力する構成が開示されている。
【０００５】
さらに、市場には、伝言を含む音声データをサーバから取得して再生する機能を有する冷蔵庫などの家電も登場している。この家電では、サーバより音声データをダウンロードし、再生指示がなされた場合や、家電のドアの開閉や家電のボタンの押圧など、予め定められた再生のきっかけとなる事象が発生した場合に再生する。一度再生された音声データは、その後はランダムに再生される。
【０００６】
また、この家電には、便利な機能として、最後に再生された音声データの聞き直しを、その後の所定の期間だけ可能にする聞き直し機能が設けられている。これにより、たとえ再生された音声を聞きのがしてしまった場合でも聞き直しが可能となるので、一度再生した音声データについてはランダムに再生する仕組みとしても、ユーザの利便性は損なわれない。
【０００７】
また、上記音声データには、音声の種別に応じて再生が可能な期限（再生期限）が設定されており、再生期限が過ぎた音声データは、再生できない仕組みとなっている。再生期限を設定しておくことで、家電に設けられた限られた記憶容量を有効に利用して、バリエーションの高い音声提供サービスを実現できる。
【先行技術文献】
【特許文献】
【０００８】
【特許文献１】特開２００２−３０３４８２号公報（２００２年１０月１８日公開）
【特許文献２】特開２００８−０４６４２４号公報（２００８年２月２８日公開）
【発明の概要】
【発明が解決しようとする課題】
【０００９】
しかしながら、前記聞き直し機能を有する家電においては、聞き直し可能な期間であるにも関わらず、音声の聞き直しができないといった不具合が発生する。これは、初回再生の時期と再生期限との関係による。
【００１０】
つまり、聞き直しが可能な期間は、初回再生後の所定の期間として設定される。そのため、再生期限間近に初回再生が行われると、聞き直し可能な期間の間に、再生期限が到達してしまう。その場合、聞き直しの途中で再生できなくなる。聞き直し対象の音声データが、例えば伝言の音声データであった場合には、伝言の内容を確認できなくなる。
【００１１】
本発明は、このような課題に鑑みなされたもので、その目的は、聞き直しが可能で、かつ、聞き直しの途中で音声が切れるような不具合のない、利便性の高い電子機器および音声出力システムを提供することにある。
【課題を解決するための手段】
【００１２】
本発明の一態様に係る電子機器は、上記課題を解決するために、音声データを再生する音声再生部を備えた電子機器であって、初回の再生がなされた音声データを聞き直し対象の音声データとして、初回再生後の所定の期間、再生可能に管理する聞き直し手段を備え、前記聞き直し手段は、少なくとも、聞き直し対象の音声データに設定されている再生期限が聞き直し可能な前記所定の期間内に到達する場合に、前記所定の期間内の再生が可能となるように当該再生期限を延長することを特徴とする。
【発明の効果】
【００１３】
本発明の一態様に係る電子機器によれば、音声データの初回再生の時期によらず、聞き直し可能な所定の期間において、不具合なく音声データの聞き直しが可能となる。それゆえ、聞き直しが可能で、かつ、聞き直しの途中で音声が切れるような不具合のない利便性の高い電子機器を提供できるという効果を奏する。
【図面の簡単な説明】
【００１４】
【図１】本発明の実施の一形態にかかる音声出力システムの概略構成を示す図である。
【図２】上記音声出力システムにおけるクラウドサーバの概略構成を示す図である。
【図３】上記音声出力システムにおける電子機器とこれに接続された家電アダプタの概略構成を示す図である。
【図４】音声データ毎に設定された再生期限を説明する図である。
【図５】上記音声出力システムにおける音声出力の処理の流れを示す図である。
【図６】上記音声出力システムにおける音声データの聞き直し期間と再生期限との関係を示す図である。
【図７】本発明の実施のその他の形態にかかる音声出力システムにおける音声データの聞き直し期間と再生期限との関係を示す図である。
【図８】本発明の実施のその他の形態にかかる音声出力システムにおける音声データの聞き直し期間と再生期限との関係を示す図である。
【図９】本発明の実施のその他の形態にかかる音声出力システムにおける音声データの聞き直し期間と再生期限との関係を示す図である。
【発明を実施するための形態】
【００１５】
〔実施の形態１〕
以下、本発明の一実施形態について図１〜６に基づいて説明すれば以下の通りである。
【００１６】
（音声出力システム１００の構成）
図１は、本実施の形態に係る音声出力システム１００の概略構成を示す図である。図１に示すように、音声出力システム１００では、ユーザ宅５０に設置されている家電（電子機器）１０（１０−１，１０−２，１０−３，１０−４）と、クラウドサーバ（音声提供サーバ）２０と、通信端末装置３０（３０−１，３０−２，３０−３）とが、広域通信ネットワーク６２を介して接続されている。
【００１７】
家電１０は、該家電１０に対してドアを開けたり、ボタンを操作したりするなどの、予め定められた事象の発生を検知すると音声を出力する機能を有している。また、家電１０は、広域通信ネットワーク６２に接続され、広域通信ネットワーク６２を介して制御できるいわゆるネットワーク家電である。
【００１８】
本実施の形態では、広域通信ネットワーク６２への接続機能を持たない家電１０に、遠隔操作を可能とする通信機能部分を有する家電アダプタ５（５−１，５−２，５−３，５−４）を接続することで、ネットワーク家電１０としている。遠隔操作を可能とする通信機能部分を外付け構成としてオプション化することで、共通の家電アダプタ５を種類の異なる家電１０に適用させることができ、コストを抑えることができる。もちろん、家電１０内部に通信機能部分が予め組み込まれている構成（家電１０と家電アダプタ５と一体化した構成）であってもよい。
【００１９】
クラウドサーバ２０は、通信端末装置３０と家電アダプタ５とを対応付けて、その組み合わせを登録管理している。クラウドサーバ２０に組み合わせが登録されることで、通信端末装置３０は、クラウドサーバ２０を介して、対応付けられた家電アダプタ５と接続されている家電１０を遠隔操作することができる。通信端末装置３０には、対応付けられた家電アダプタ５と接続されている家電１０に関する情報が、クラウドサーバ２０を介して送信される。以下、対応付けられた家電アダプタ５と接続された家電１０を操作することを、単に家電１０を遠隔操作すると記載する。
【００２０】
１台の通信端末装置３０につき、このような遠隔操作の対象の家電１０を複数台対応付けることができる。また、１台の家電アダプタ５につき、複数台の通信端末装置３０を家電１０の遠隔操作元として対応付けることができる。通信端末装置３０としては、遠隔操作のためのアプリケーションがダウンロードされているスマートフォンやタブレット端末などを挙げることができる。
【００２１】
そして、本実施の形態において、通信端末装置３０は、家電１０にて再生させたい伝言を遠隔操作にて登録する伝言登録機能を有している。本実施の形態では、クラウドサーバ２０に伝言を登録し、家電アダプタ５がこれをダウンロードして家電１０にて再生させる。クラウドサーバ２０を介する構成では、伝言の音声データは、一旦クラウドサーバ２０に登録され、その後、家電アダプタ５へと送信される。なお、伝言の音声データを、クラウドサーバ２０を介さず、直接、家電アダプタ５に登録する構成でもよい。
【００２２】
一方、ユーザ宅５０には、狭域通信ネットワークである無線ＬＡＮ（Wireless Local Area Network）が整備されており、無線ＬＡＮの中継局４０は、インターネットを含む広域通信ネットワーク６２と接続されている。中継局４０は、例えばＷｉＦｉ（登録商標）ルータやＷｉＦｉ（登録商標）アクセスポイントなどの通信機器である。本実施の形態では、広域通信ネットワーク６２としてインターネットを含む構成を例示しているが、電話回線網、移動体通信網、ＣＡＴＶ（CAble TeleVision）通信網、衛星通信網などを利用することもできる。
【００２３】
クラウドサーバ２０とユーザ宅５０に設置された家電アダプタ５とは、広域通信ネットワーク６２および無線ＬＡＮの中継局４０を介して通信可能となっている。また、クラウドサーバ２０と通信端末装置３０とは、広域通信ネットワーク６２を介して通信可能になっている。通信端末装置３０と広域通信ネットワーク６２におけるインターネットとの間は、３Ｇ（3rd Generation）、ＬＴＥ（Long Term Evolution）や、宅内あるいは公衆のＷｉＦｉアクセスポイントなどを利用して接続される。また、家電アダプタ５および通信端末装置３０は、いずれも無線通信機器であり、広域通信ネットワーク６２を介することなく、中継局４０を介して相互に通信することもできる。
【００２４】
また、図１では、家電１０として、エアコン（空気調和機）１０−１，オーブンレンジ１０−２，冷蔵庫１０−３，洗濯機１０−４を例示し、通信端末装置３０として、通信端末装置３０−１，３０−２，３０−３を例示し、ユーザ宅５０を１つ例示しているが、これらは一例に過ぎない。
【００２５】
（クラウドサーバ２０の構成）
図２は、音声出力システム１００におけるクラウドサーバ２０の概略構成を示すブロック図である。クラウドサーバ２０は、各家電１０を管理するサーバであり、図２に示すように、制御部２１、記憶部２２および通信部２３を備えている。
【００２６】
制御部２１は、例えば、ＣＰＵ（Central Processing Unit）や専用プロセッサなどの演算処理部などにより構成されるコンピュータ装置からなり、クラウドサーバ２０の各部の動作を制御する。記憶部２２は、クラウドサーバ２０で用いられる各種情報（データ）を記憶する。通信部２３は、広域通信ネットワーク６２を介して、家電アダプタ５および通信端末装置３０と相互通信を行う。
【００２７】
上記制御部２１には、家電１０の音声出力部３３より出力する音声データを提供する音声提供機能部２１ａが構築される。音声提供機能部２１ａは、提供する音声データを作成したり、広域通信ネットワーク６２を介して取得したりする。記憶部２２には、音声提供機能部２１ａが音声データの作成に用いる基となる音声データなども格納されている。通信端末装置３０から登録された伝言の音声データも、音声提供機能部２１ａにて、提供する音声データの１つとして準備される。なお、伝言以外の音声データとしては、カレンダー情報、天気情報、今日は何の日かを示す情報などがある。
【００２８】
音声提供機能部２１ａは、音声の種類ごとに指定された時間に音声データを準備し、家電１０側での再生タイミングを決定するための条件情報などを含めて家電アダプタ５に送信する。本実施の形態では、音声提供機能部２１ａが家電アダプタ５に対して、準備した音声データのダウンロードを指示する。なお、状態確認のためにクラウドサーバ２０と家電アダプタ５との間に行われる定期ポーリングにおいて、家電アダプタ５が、クラウドサーバ２０上のダウンロードすべき音声データの存在を認識してダウンロードする構成としてもよい。
【００２９】
音声提供機能部２１ａは、ダウンロード時、ダウンロードされる各音声データに、図４に示すような再生期限を設定する。再生期限は、音声データの種類に応じて設定する。例えば、カレンダー情報や天気情報、伝言であれば、ダウンロード時刻＋２４時間に設定する。情報によっては、もっと長い期間に設定する。設定された再生期限の情報は、音声データと共に、家電アダプタ５へと送信される。
【００３０】
（家電アダプタ５および家電１０の構成）
家電アダプタ５は、家電１０をネットワーク通信可能にする機器である。家電アダプタ５は、クラウドサーバ２０からの操作信号（命令）を含む各種データを受信する。クラウドサーバ２０から受信するデータには、クラウドサーバ２０自体からのものに加え、クラウドサーバ２０を介して送信される通信端末装置３０からのものも含まれる。また、クラウドサーバ２０から受信するデータは、家電アダプタ５自体を制御するものである場合もあれば、家電アダプタ５を介して家電１０に伝達して家電１０を制御するものである場合もある。さらに、家電アダプタ５は、家電１０から伝達された家電１０に関する情報をクラウドサーバ２０に送信する。
【００３１】
図３は、音声出力システム１００における家電アダプタ５および家電１０の概略構成を示すブロック図である。家電アダプタ５は、図３に示すように、制御部４１、記憶部４２、通信部４３および接続部４４を備えている。
【００３２】
制御部４１は、例えば、ＣＰＵ（Central Processing Unit）や専用プロセッサなどの演算処理部などにより構成されるコンピュータ装置からなり、家電アダプタ５の各部の動作を制御する。記憶部４２は、家電アダプタ５で用いられる各種情報を記憶する。記憶部４２には、クラウドサーバ２０からダウンロードした音声データなどが記憶される。通信部４３は、広域通信ネットワーク６２を介してクラウドサーバ２０と相互通信を行う。接続部４４は、家電１０の接続部３４と相互通信する。接続部４４と家電１０の接続部３４との間の接続は、例えば、ＵＳＢ（Universal Serial Bus）コネクタによる接続などであってもよい。
【００３３】
そして、上記制御部４１には、家電１０で再生される音声データを管理する音声管理機能部４１ａが構築される。音声管理機能部４１ａは、クラウドサーバ２０よりダウンロードした音声データを記憶部４２に格納する。記憶部４２は、例えば、約７秒分の音声データを６４個保持できるよう構成されている。
【００３４】
音声管理機能部４１ａは、クラウドサーバ２０から音声データをダウンロードすると、家電１０に対して再生されていない音声データが存在することを通知する。音声管理機能部４１ａは、家電１０の音声再生機能部３１ａより音声再生命令を受けると、家電１０に音声データを送信し、音声出力部３３より再生させる。
【００３５】
音声管理機能部４１ａは、クラウドサーバ２０から音声データと共に受信した、再生タイミングを決定する条件情報などに従って、家電１０に再生させる音声データを決定する。家電１０における初回再生の対象となる音声データは、再生期限以内のものである。本実施の形態においては、家電１０に音声データを１件ずつ送信して再生させるようになっている。
【００３６】
また、音声管理機能部（聞き直し手段）４１ａは、未再生の音声データを家電１０にて再生させる（初回再生させる）と、当該初回再生させた音声データを、聞き直し対象の音声データとして、初回再生後の所定の期間の聞き直し期間に再生が可能となるように管理する。
【００３７】
音声管理機能部４１ａは、聞き直し対象の音声データの聞き直し期間中は、家電１０の音声再生機能部３１ａより聞き直しのため音声再生命令を受けると、家電１０に再度同じ音声データを送信して再生させる（聞き直し再生）。音声管理機能部４１ａは、家電１０にて聞き直し再生をさせるか、あるいは、家電１０より聞き直しのための音声再生命令を受けないうちに、当該音声データの聞き直し期間が過ぎると、聞き直し対象の音声データとしての管理から外す。そして、未再生の別の音声データが存在する場合には、その存在を家電１０に通知し、家電１０からの音声再生命令を待つ。
【００３８】
さらに、音声管理機能部４１ａは、聞き直し期間に聞き直し再生が可能となるように、少なくとも、聞き直し対象の音声データの再生期限が聞き直し期間に到達する場合には、当該聞き直し対象の音声データの再生期限を延長する。本実施の形態では、聞き直し期間に再生期限が到達するかどうかにかかわらず、聞き直し対象となると一律に再生期限を延長する。延長期間（時間）は、聞き直し期間以上であればよい。
【００３９】
なお、記憶部４２に格納された再生済みの音声データ（聞き直し再生されたものも含む）は、家電１０のドアの開閉や家電のボタンの押圧など、予め定められた再生のきっかけとなる事象が発生した場合にランダムに再生され、いずれ消去される。
【００４０】
家電１０は、例えば、空気調和機、冷蔵庫、洗濯機、調理器具、照明装置、給湯機器、撮影機器、各種ＡＶ（Audio-Visual）機器、各種家庭用ロボット（例えば、掃除ロボット、家事支援ロボット、動物型ロボット等）等である。図３に示すように、家電１０は、制御部３１、記憶部３２、音声出力部３３、操作パネル３５、ボタンランプ３６、状態検知部３７および接続部３４を備える。家電１０は、制御部３１による制御の下、制御部３１から操作信号を受信すると、受信した操作信号に応じた動作を実行する。
【００４１】
制御部３１は、例えば、ＣＰＵ（Central Processing Unit）や専用プロセッサなどの演算処理部などにより構成されるコンピュータ装置からなり、家電１０の各部の動作を制御する。そして、上記制御部３１には、音声再生機能部３１ａが構築される。
【００４２】
音声再生機能部３１ａは、家電アダプタ５から再生すべき音声データの存在が通知されると、ボタンランプ３６を明滅させるなどして、再生すべき音声が存在することをユーザに伝える。そして、音声再生機能部３１ａは、音声を再生するきっかけとなる予め定められた事象が発生する、あるいは後述するボタンランプ３６が押圧されて再生が指示されると、家電アダプタ５に対して音声再生命令を送る。これにより、家電アダプタ５は、音声出力部３３にて音声を再生する。
【００４３】
上述したように、音声管理機能部４１ａは、未再生の音声データを再生（初回再生）すると、初回再生後の所定の期間を、聞き直しが可能な聞き直し期間として設定する。音声管理機能部４１ａは、この聞き直し期間においては、後述するボタンランプ３６が操作されて聞き直し指示され、音声再生機能部３１ａから音声再生命令を受けると、初回再生を行った音声データを再度、再生する（聞き直し再生）。
【００４４】
記憶部３２は、家電１０にて用いられる各種データを記憶する。記憶部３２には、家電１０から音声出力される、予め家電１０に保存されている音声データや、チャイムなどの音楽データなども記憶されている。記憶部３２に記憶されたこれらの音声データも、音声再生機能部３１ａにて１件ずつ再生される。但し、このような予め家電１０に保存されている音声データや、チャイムは、聞き直し再生の対象にはならない。
【００４５】
操作パネル３５は、家電１０に関する各種情報を表示すると共に、家電１０に対する指示入力を可能にするユーザインターフェースである。操作パネル３５には、再生すべき音声の有無を通知するボタンランプ３６が備えられている。
【００４６】
ボタンランプ３６は、上述したように、未再生の音声データが存在する場合に明滅して、未再生の音声データの存在をユーザに通知する。また、再生した音声データの聞き直しが可能な聞き直し期間内は点灯して、音声データの聞き直しが可能であることをユーザに通知する。さらに、ボタンランプ３６は、初回再生や聞き直し再生を指示するためのボタンスイッチでもある。音声再生機能部３１ａは、明滅状態のボタンランプ３６が押圧されることで、音声管理機能部４１ａに音声再生命令を送り、これにて初回再生がなされる。また、点灯状態のボタンランプ３６が押圧されることで、音声管理機能部４１ａに音声再生命令を送り、これにて聞き直し再生が行われる。
【００４７】
状態検知部３７は、家電１０の状態を検知するブロックである。家電１０の状態としては、例えば、設定状況、動作状況等が挙げられる。また、家電１０の状態に、家電１０の置かれた状態、すなわち周囲環境に関する環境情報が含まれていてもよい。音声出力部３３は、スピーカなどの音声出力装置である。接続部３４は、家電アダプタ５の接続部４４と相互通信する。
【００４８】
（音声出力における処理の流れ）
音声出力システム１００での音声出力における処理の流れを、図５に具体例を用いて説明する。図５では、音声データが伝言であり、ボタンランプ３６が押圧して伝言を初回再生する場合を例示する。
【００４９】
通信端末装置３０を用いてユーザが伝言Ａを登録すると（Ｓ１）、伝言Ａの音声データが通信端末装置３０からクラウドサーバ２０へと送信され格納される（Ｓ２）。クラウドサーバ２０は、伝言Ａを再生させる対象の家電１０に接続された家電アダプタ５に、伝言Ａの音声データのダウンロードを指示する。家電アダプタ５は、ダウンロードが指示されると、伝言Ａの音声データをダウンロードし（Ｓ４）、クラウドサーバ２０は、伝言Ａの音声データのダウンロード時、再生期限を設定する（Ｓ５）。家電アダプタ５は、音声データをダウンロードすると、家電１０に伝言Ａの存在を通知する（Ｓ６）。
【００５０】
家電アダプタ５からの通知を受けて、家電１０は、ボタンランプ３６を明滅させて、ユーザに未再生の音声データの存在を通知する（Ｓ７）。家電１０は、ボタンランプ３６が押圧されると、家電アダプタ５に音声再生命令を送る（Ｓ８）。家電アダプタ５は、家電１０より音声再生命令を受けると、伝言Ａの音声データを家電に送り（Ｓ９）、家電１０にて伝言Ａを初回再生させる（Ｓ１０）。伝言Ａが初回再生すると、家電１０はボタンランプ３６の明滅を停止する（Ｓ１１）。
【００５１】
家電アダプタ５は、伝言Ａを初回再生させると、伝言Ａの音声データの聞き直し期間を、例えば２分にセットし、かつ、伝言Ａの音声データの再生期限を、聞き直し期間以上の時間、例えば１０分延長する（Ｓ１２）。聞き直し期間に、ボタンランプ３６が押圧されると、家電１０は、家電アダプタ５に音声再生命令を送る（Ｓ１３）。この音声再生命令が伝言Ａの聞き直しのための命令である。家電アダプタ５は、家電１０より音声再生命令を受けると、伝言Ａの音声データを再度家電１０に送り（Ｓ１４）、家電１０にて伝言Ａを聞き直し再生させる（Ｓ１５）。ここでは、たとえ、Ｓ８の初回再生を命じる音声再生命令の発令が、伝言Ａの音声データの再生期限の間近で、聞き直し期間内に再生期限に到達しても、Ｓ１２において、再生期限が延長されているため、伝言Ａは問題なく再生される。
【００５２】
家電アダプタ５は、伝言Ａの音声データの聞き直し期間が過ぎる、あるいは家電１０にて伝言Ａを聞き直し再生させると、伝言Ａの音声データを聞き直し対象としての管理から外す。そして、この時点で、未再生の伝言Ｂの音声データが既に存在する場合には、家電１０に伝言Ｂの存在を通知する（Ｓ１６）。家電アダプタ５からの通知を受けて、家電１０は、ボタンランプ３６を明滅させる（Ｓ１７）。以降、伝言Ｂの音声データについて、Ｓ７〜Ｓ１５と同様の処理が繰り返される。なお、伝言Ｂの音声データは、通信端末装置３０、クラウドサーバ２０および家電アダプタ５が、Ｓ１〜Ｓ５と同様に、Ｓ２１〜Ｓ２５を実施することで、家電アダプタ５に保持されている。
【００５３】
図６に、本実施の形態の音声出力システム１００における音声データの聞き直し期間と再生期限との関係を示す。図６の（ａ）は、初回再生のタイミングが、再生期限の十分前である場合を示している。この場合、聞き直し期間内に再生期限が到達することはないので、再生期限は延長しなくても、聞き直しの問題はない。図６の（ｂ）は、初回再生のタイミングが、再生期限の間近である場合を示している。この場合、聞き直し期間内に再生期限が到達するため、再生期限を延長していない場合（元の再生期限の場合）は、途中で音声が再生できなくなるが、再生期限を延長しているので、問題なく聞き直しができる。図６の（ｃ）は、初回再生のタイミングが、再生期限内に実施されなかった場合を示している。この場合は、初回再生もできなくなる。
【００５４】
以上のように、本実施の形態の構成によれば、音声管理機能部４１ａが、初回の再生がなされた音声データが聞き直し対象の音声データとして、初回再生後の所定の期間の聞き直し期間、再生可能に管理される。そして、音声管理機能部４１ａが、少なくとも、聞き直し対象の音声データに設定されている再生期限が聞き直し期間内に到達する場合には、聞き直し期間内の再生が可能となるように再生期限を延長するようになっている。
【００５５】
これにより、音声データの初回再生の時期によらず、聞き直し可能な所定の期間において、不具合なく音声データの聞き直しが可能となる。
【００５６】
なお、本実施の形態の構成によれば、再生期限までに聞き直し期間が終了して延長する必要のない場合も含まれる。しかしながら、聞き直し対象の音声データの再生期限を一律に延長するといった簡単な手法にて、聞き直しの途中に音声が再生できなくなる不具合を確実に回避できる。
【００５７】
〔実施の形態２〕
本実施の形態は、実施の形態１の音声出力システム１００の構成において、音声管理機能部４１ａが、聞き直し対象の音声データの再生期限が聞き直し期間内に到達するかどうかを、当該聞き直し対象の音声データの再生期限を基準に判断し、到達する場合に、再生期限が聞き直し期間後に到達するように延長する構成である。これ以外は実施の形態１と同様の構成である。
【００５８】
音声管理機能部４１ａは、聞き直し期間（α）と初回再生の完了時点から再生期間までの残り時間（β）とを比較する。そして、残り時間（β）が聞き直し期間（α）未満である場合には、再生期限の延長を行う。残り時間（β）が聞き直し期間（α）以上である場合には、再生期限の延長は行わない。延長時間は、少なくとも、聞き直し期間（α）から残り時間（β）を引いた差分の時間であり、該差分の時間よりも長い十分な時間延長してもよい。
【００５９】
図７に、本実施の形態の音声出力システム１００における音声データの聞き直し期間と再生期限との関係を示す。図７の（ａ）は、初回再生のタイミングが、再生期限の十分前であり、残り時間（β）が聞き直し期間（α）以上である場合を示している。この場合、聞き直し期間内に再生期限が到達することはないので、再生期限は延長しない。図７の（ｂ）は、初回再生のタイミングが、再生期限の間近であり、残り時間（β）が聞き直し期間（α）未満である場合を示している。この場合、聞き直し期間内に再生期限が到達するため、再生期限を延長する。
【００６０】
本実施の形態の構成によれば、聞き直し期間内に再生期限が到達する場合のみ再生期限を延長するため、不要な期限延長を回避して、高速に処理を行うことができるという効果を併せて奏する。
【００６１】
〔実施の形態３〕
実施の形態１の音声出力システム１００の構成において、家電アダプタ５が保持している複数の音声データを、家電１０に１件ずつ再生させる構成であった。本実施の形態の音声出力システム１００は、家電１０に複数件の音声データを再生させる構成であり、これ以外は実施の形態１又は２と同様の構成である。
【００６２】
音声管理機能部４１ａは、家電１０に音声データの存在を通知し、音声再生機能部３１ａは、前述の１つの音声データ再生と同様に、家電アダプタ５に音声再生命令を送って音声を再生させる。音声管理機能部４１ａは、家電１０で音声データのうちの１件でも初回再生がなされ、その音声データの再生が完了すると、次の音声データの存在を家電１０に通知する。音声管理機能部４１ａは、音声データのうち、未再生のものが存在する場合は、それを優先して再生させ、未再生の音声データが存在しない場合に、聞き直し対象の音声データの聞き直しを可能とする。
【００６３】
ここで、複数の音声データの初回再生が連続してなされ、聞き直し対象の音声データが複数存在する場合、音声管理機能部４１ａは、聞き直しが指示されると、複数ある聞き直し対象の音声データの全てを順次聞き直し再生させる。これは、聞き直し対象の音声データが複数存在する場合、ある音声データの聞き直し再生を行っている間に、別の音声データの聞き直し期間が過ぎてしまうといった不具合を回避するためである。
【００６４】
そして、音声管理機能部４１ａは、このような構成に合わせて、聞き直し対象の音声データがＭ個ある場合、これらＭ個の聞き直し対象の音声データの聞き直し期間を、所定の聞き直し期間×Ｍに更新すると共に、これらＭ個の音声データの再生期限を、その内の最も再生期限の近い音声データの再生期限を基準に、聞き直し期間×Ｍの時間、延長する。
【００６５】
これにより、複数の音声データを聞き直し可能に管理する構成において、聞き直し期間内に再生期限が到達して、聞き直しができないといった不具合を回避できる。
【００６６】
なお、聞き直し期間を延長する手法は、実施の形態１の聞き直し対象の音声データの再生期限を一律に延長するといった手法でも、実施の形態２の聞き直し期間内に再生期限が到達する場合のみ再生期限を延長する手法でもよい。但し、実施の形態１の手法は、一度に聞き直し再生する音声データの個数が、聞き直しが指示されるまで確定しないため、聞き直し対象として管理される度に、聞き直し期間を延ばしていく手順となる。
【００６７】
〔実施の形態４〕
本実施の形態は、実施の形態１、２又は３音声出力システム１００の構成において、音声管理機能部４１ａが設定する聞き直し期間が、家電１０の種類によって異なっている場合に、何れの家電１０に設定される聞き直し期間よりも長い十分な時間、再生期限を延長する構成であり、それ以外は実施の形態１、２又は３と同様の構成である。
【００６８】
本実施の形態の音声出力システム１００では、図９に示すように、冷蔵庫、エアコン、洗濯機およびオーブンレンジの各家電１０において、聞き直し期間が異なる。図９の例では、洗濯機は冷蔵庫よりも短く設定され、エアコンとオーブンレンジは冷蔵庫よりも長く設定されている。
【００６９】
音声管理機能部４１ａは、このような家電１０毎の聞き直し期間の違いを考慮して、設定可能な聞き直し期間の最大時間よりも長い時間、再生期限を延長するようになっている。
【００７０】
このように、各家電１０の聞き直し期間に関わりなく一律に十分な時間延長する構成とすることで、家電１０毎の聞き直し期間に合わせて再生期限を延長する時間を設定する必要が無く、音声管理機能部４１ａを構築する家電アダプタ５の制御部４１の構成を、各家電１０において共通にできる。これにより、コストを抑えることができる。なお、各家電１０の聞き直し期間は、クラウドサーバ２０が家電アダプタ５に命じることで、最大時間以内で設定できる。
【００７１】
〔実施の形態５〕
実施の形態１から４にて説明した音声出力システム１００、家電１０、家電アダプタ５、クラウドサーバ２０はそれぞれ、集積回路（ＩＣチップ）等に形成された論理回路（ハードウェア）によって実現してもよいし、ＣＰＵ（Central Processing Unit）を用いてソフトウェアによって実現してもよい。
【００７２】
後者の場合、音声出力システム１００、家電１０、家電アダプタ５、クラウドサーバ２０は、それぞれ、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７３】
本発明は上述した各実施の形態に限定されるものではなく、種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【００７４】
〔まとめ〕
本発明の態様１に係る電子機器は、音声データを再生する音声再生部（音声出力部３３）を備えた電子機器であって、初回の再生がなされた音声データを聞き直し対象の音声データとして、初回再生後の所定の期間、再生可能に管理する聞き直し手段（音声管理機能部４１ａ、音声再生機能部３１ａ）を備え、前記聞き直し手段は、少なくとも、聞き直し対象の音声データに設定されている再生期限が聞き直し可能な前記所定の期間内に到達する場合に、前記所定の期間内の再生が可能となるように当該再生期限を延長する。
【００７５】
上記構成によれば、聞き直し手段が、少なくとも、聞き直し対象の音声データに設定されている再生期限が聞き直し可能な所定の期間内に到達する場合に、所定の期間内の聞き直しのための再生が可能となるように再生期限を延長する。したがって、音声データの初回再生が、当該音声データの再生期限間近に行われたとしても、問題なく聞き直しが可能となる。
【００７６】
本発明の態様２に係る電子機器は、さらに、前記聞き直し手段は、聞き直し対象の音声データの管理を開始すると、当該音声データの再生期限を、聞き直し可能な前記所定の期間の時間以上延長する構成である。
【００７７】
上記構成によれば、再生期限までに聞き直し可能な前記所定の期間内が終了し、再生期限を延長する必要のない場合も含まれるが、一律に再生期限を延長する簡単な構成で、問題なく聞き直しを可能にできる。
【００７８】
本発明の態様３に係る電子機器は、さらに、前記聞き直し手段は、聞き直し対象の音声データの再生期限が聞き直し可能な前記所定の期間内に到達するかどうかを判断し、到達する場合に、再生期限が前記所定の期間後に到達するように再生期限を延長する構成である。
【００７９】
上記構成によれば、聞き直し可能な前記所定の期間内に再生期限が到達する場合のみ再生期限を延長することができ、不要な期限延長を回避できる。これにより、不要な処理を行わないため、高速に処理を行うことができる。
【００８０】
本発明の態様４に係る電子機器は、さらに、前記聞き直し手段は、初回再生がなされた複数の音声データを聞き直し対象の音声データとして管理し、聞き直しが指示された時、聞き直し可能な前記所定の期間を、基準時間×聞き直し対象の音声データ数で更新すると共に、聞き直し対象の各音声データの再生期限をそれぞれ、聞き直し対象の音声データの中で最も再生期限の近い音声データの再生期限を基準に、更新後の聞き直し可能な期間の時間分延長して、聞き直し対象の複数の音声データを順次再生する構成である。
【００８１】
上記構成によれば、複数の音声データを聞き直し可能に管理する構成においても、聞き直し可能な前記所定の期間内に再生期限が到達して、聞き直しができないといった不具合を回避できる。
【００８２】
本発明の態様５に係る電子機器は、さらに、前記聞き直し手段は、聞き直しを可能とする期間として設定可能な最長時間以上の時間分、再生期限を延長することを特徴とする請求項１から４の何れか１項に記載の電子機器。
【００８３】
上記構成によれば、聞き直しを可能とする所定の期間が異なる電子機器間でも共通の構成とできるので、コストを抑えることができる。
【００８４】
本発明の態様６に係る電子機器は、さらに、前記音声データを、通信ネットワークを介して取得する構成である。
【００８５】
本発明の態様７に係る音声出力システムは、登録された伝言を含む音声データを電子機器に提供する音声提供サーバと、本発明に各態様の電子機器と、を備えた構成である。
【産業上の利用可能性】
【００８６】
本発明は、通信ネットワークに接続して、サーバから伝言を含む音声データをダウンロードして音声出力する電子機器、および音声出力システム等に利用可能である。
【符号の説明】
【００８７】
５  家電アダプタ
１０  家電
２０  クラウドサーバ
２１  制御部
２１ａ  音声提供機能部
２２  記憶部
２３  通信部
３０  通信端末装置
３１  制御部
３１ａ  音声再生機能部（聞き直し手段）
３２  記憶部
３３  音声出力部
３４  接続部
３５  操作パネル
３６  ボタンランプ
３７  状態検知部
４０  中継局
４１  制御部
４１ａ  音声管理機能部（聞き直し手段）
４２  記憶部
４３  通信部
４４  接続部
５０  ユーザ宅
６２  広域通信ネットワーク
１００  音声出力システム
【図１】
0006430187.tif 000002
【図２】
0006430187.tif 000003
【図３】
0006430187.tif 000004
【図４】
0006430187.tif 000005
【図５】
0006430187.tif 000006
【図６】
0006430187.tif 000007
【図７】
0006430187.tif 000008
【図８】
0006430187.tif 000009
【図９】
0006430187.tif 000010